(57)【要約】      （修正有）【課題】使用者が立ち上がるのを補助できるとともに、使用寿命を改善し、体積が小さな便座を提供する。【解決手段】固定座１１には第一結合部１１１と第一枢接部１１２が含まれ、第一結合部は固定座を便器本体Ｂと結合するのに用いられる。第一座部１２の両端にはそれぞれ第二枢接部１２１と第三枢接部１２２が設けられ、第二枢接部と固定座１１の第一枢接部１１２は互いに枢接する。第二座部１３には第四枢接部１３１が設けられ、第四枢接部と第一座部１２の第三枢接部１２２は互いに枢接する。昇降装置である伸縮シリンダー１４の第１端と第２端がそれぞれ第一座部１２および第二座部１３と連接し、昇降装置には一個の制御器１４３が結合され、制御器は第一座部と第二座部の距離が延伸したりまたは短縮したりする。【選択図】図１
0003190929.tif 000002
【実用新案登録請求の範囲】
【請求項１】
固定座（１１）、第一座部（１２）、第二座部（１３）および昇降装置を含む便器の便座であって、固定座（１１）には一個の第一結合部（１１１）と一個の第一枢接部（１１２）が含まれ、第一結合部（１１１）は一個の便器本体（Ｂ）と結合するのに用いられ、第一座部（１２）の両端にはそれぞれ一個の第二枢接部（１２１）と一個の第三枢接部（１２２）が設けられ、第二枢接部（１２１）と固定座（１１）の第一枢接部（１１２）は互いに枢接し、第二座部（１３）には一個の第四枢接部（１３１）が設けられ、第四枢接部（１３１）と第一座部（１２）の第三枢接部（１２２）は互いに枢接し、上記昇降装置はそれぞれ第一座部（１２）および第二座部（１３）と連接し、上記昇降装置には一個の制御器（１４３）が結合され、制御器（１４３）は第一座部（１２）と第二座部（１３）の距離が延伸したりまたは短縮したりするのを駆動するのに用いられることを特徴とする便器の便座。
【請求項２】
便器本体（Ｂ）には一個の第二結合部（Ｂ１）が設けられ、第二結合部（Ｂ１）と固定座（１１）の第一結合部（１１１）は互いに対応する結合構造からなり、第一結合部（１１１）と第二結合部（Ｂ１）は互いに位置合わせて結合することを特徴とする請求項１に記載の便器の便座。
【請求項３】
第一結合部（１１１）は複数個の貫穿孔からなり、第二結合部（Ｂ１）は複数個の固定孔からなり、第二結合部（Ｂ１）に形成される複数個の固定孔はそれぞれ第一結合部（１１１）に形成される複数個の貫穿孔と互いに位置合わせ、かつそれぞれの上記貫穿孔に固定部材（Ｓ）を貫穿してそれぞれの上記固定孔に固定することを特徴とする請求項２に記載の便器の便座。
【請求項４】
上記昇降装置は一個の伸縮シリンダー（１４）からなり、上記昇降装置には一個の第一端（１４１）と一個の第二端（１４２）が含まれ、第一端（１４１）および第二端（１４２）はそれぞれ第一座部（１２）および第二座部（１３）と連接し、制御器（１４３）は上記昇降装置が伸縮するのを駆動するように制御することができることを特徴とする請求項１、２または３に記載の便器の便座。
【請求項５】
上記昇降装置の第一端（１４１）は第一座部（１２）が第二枢接部（１２１）に近接する一端に連接され、上記昇降装置の第二端（１４２）は第二座部（１３）が第四枢接部（１３１）から遠く離れる一端に連接されることにより、上記昇降装置は第三枢接部（１２２）と第四枢接部（１３１）から遠く離れることを特徴とする請求項４に記載の便器の便座。
【請求項６】
第一座部（１２）には一個の延伸部（１２３）が設けられ、延伸部（１２３）は第二座部（１３）から遠く離れる一方の方向に向かって延伸し、上記昇降装置の第一端（１４１）は延伸部（１２３）に結合されることを特徴とする請求項４に記載の便器の便座。
【請求項７】
第二座部（１３）には一個の導引部（１３２）が設けられ、導引部（１３２）は第二座部（１３）が第四枢接部（１３１）から遠く離れる一端に設置され、上記昇降装置の第二端（１４２）は導引部（１３２）に結合されることを特徴とする請求項４に記載の便器の便座。
【請求項８】
導引部（１３２）には第二座部（１３）の周縁に沿って一個の案内溝が開設され、第二端（１４２）は滑動自在に導引部（１３２）の中に結合されることを特徴とする請求項７に記載の便器の便座。
【請求項９】
上記昇降装置は一個のねじ棒伝動ユニットからなり、一個のねじ棒（２４１）と一個の連接棒（２４２）が含まれ、ねじ棒（２４１）は第一座部（２２）に固定され、ねじ棒（２４１）には一個のねじ部（２４１ａ）が含まれ、連接棒（２４２）の一端はねじ部（２４１ａ）に螺接され、連接棒（２４２）のもう一端は一個の第二座部（２３）と連接し、制御器（２４３）はねじ棒（２４１）に結合されてねじ棒（２４１）が枢転するのを駆動するのに用いられることを特徴とする請求項１、２または３に記載の便器の便座。
【請求項１０】
連接棒（２４２）には一個のねじ管（２４２ａ）、一個の第一端（２４２ｂ）と一個の第二端（２４２ｃ）が含まれ、ねじ管（２４２ａ）はねじ棒（２４１）のねじ部（２４１ａ）に螺接され、第一端（２４２ｂ）はねじ管（２４２ａ）に枢接され、第二端（２４２ｃ）は第二座部（１３）と連接することを特徴とする請求項９に記載の便器の便座。
【請求項１１】
上記昇降装置のねじ棒（２４１）は第一座部（２２）が第二枢接部（２２１）に近接する一端に固定され、連接棒（２４２）の第二端（２４２ｃ）は第二座部（２３）が第四枢接部（２３１）から遠く離れる一端に連接されることにより、上記昇降装置は第三枢接部（２２２）および第四枢接部（２３１）から遠く離れることを特徴とする請求項１０に記載の便器の便座。
【請求項１２】
上記昇降装置には他に一個の導引棒（２４４）が含まれ、導引棒（２４４）には一個の基座（２４４ａ）、一個の第三端（２４４ｂ）と一個の第四端（２４４ｃ）が含まれ、基座（２４４ａ）は回動自在にねじ棒（２４１）に固定され、第三端（２４４ｂ）は基座（２４４ａ）に枢接され、第四端（２４４ｃ）は第二座部（２３）と連接し、連接棒（２４２）の第一端（２４２ｂ）および第二端（２４２ｃ）の間の部分は導引棒（２４４）の第三端（２４４ｂ）および第四端（２４４ｃ）の間の部分とは互いに枢接することを特徴とする請求項１０に記載の便器の便座。
【請求項１３】
第二座部（２３）には二個の導引部（２３２）が設けられ、導引部（２３２）はそれぞれ連接棒（２４２）の第二端（２４２ｃ）と導引棒の第四端（２４４ｃ）が結合するのに用いられ、二個の導引部（２３２）は第二座部（２３）が第四枢接部（２３１）から遠く離れる端縁に設置されることを特徴とする請求項１２に記載の便器の便座。
【考案の詳細な説明】
【技術分野】
【０００１】
便座に関するもので、特に、液圧伸縮シリンダーまたは気圧シリンダーを利用して使用者が立ち上がるのを補助することができる便座に関するものである。
【背景技術】
【０００２】
便器は現代人が日常生活において不可欠な衛生設備であり、その中に従来の和式便器と比べ、洋式便器では使用者が長時間にしゃがむ姿勢から生じた疲労や不快感を解除することができるため、その応用の範囲はさらに広くなる。しかしながら、従来の洋式便器に使用される便器の便座は通常として水平状に形成されるため、使用者が用を足してから立ち上がろうとする時にはやや不便になり、特に高齢者、妊婦、身体障害者または下肢の疾患者などの行動が不便な者に対し、上記便器の便座から立ち上がろうとする時は相当に困難で、甚だしく使用者が滑ったりまたは転んだりするなどの事故が生じてしまうという問題点があった。
【０００３】
上述の問題点を解決するべく、図１０に示す中華民国公告第Ｍ４４０７５０号（特許文献１）の「立ち上がりに便利な便座」において、従来の便座８には一個の枢接端８１と一個の活動端８２が含まれ、枢接端８１は一個の便器８０に枢接され、活動端８２は枢接端８１と相対するように形成される。便座８には一個の傾斜上表面８３が含まれ、傾斜上表面８３は水平面とは一個の角度を有するように形成されるため、便座２の厚さは枢接端８１から活動端８２に向かって段々と減少するように形成されることにより、使用者が便器８０から簡単に立ち上がるように補助することができる。
【０００４】
また、従来の便器として、図１１に示す中華民国公告第２１９４８０号（特許文献２）の「使用者の立ち上がりと座りに補助可能な便座リング構造」において、従来の便座９には一個のモータ９１、一個の伝動歯車モジュール９２、一個の支持アーム９３と一個の便座リング９４が含まれる。モータ９１と伝動歯車モジュール９２は一個の便器９０に固定され、伝動歯車モジュール９２はそれぞれモータ９１および支持アーム９３と連接し、支持アーム９３は他に便座リング９４と結合する。その中に、支持アーム９３は従来のラック歯車の構造からなり、これによりモータ９１が正回転する時、伝動歯車モジュール９２によって支持アーム９３は便座リング９４に向かって伸出するように駆動されることにより、便座リング９４の後段は立ち上がって傾斜状に形成され、さらに使用者が便座リング９４から立ち上がるように補助することができる。それに反して、モータ９１が逆回転する時、伝動歯車モジュール９２によって支持アーム９３は後下方に向かって徐々に縮入するように駆動されることにより、便座リング９４は降下して平らに形成される。
【０００５】
前述した従来の便座８と比べると、便座８は一個の角度しか固定できない傾斜上表面８３を頼って使用者が立ち上がるのを補助するもので、そして従来の便座９はモータ９１の動力を利用して便座リング９４を平らの状態から持ち上げることにより、便座リング９４の角度は大幅に変えられるため、従来の便座９では明らかに使用者が便器９０から立ち上がるのを補助することができる。
【先行技術文献】
【特許文献】
【０００６】
【特許文献１】中華民国公告第Ｍ４４０７５０号
【特許文献２】中華民国公告第２１９４８０号
【考案の概要】
【考案が解決しようとする課題】
【０００７】
しかしながら、従来の便座８は単なる傾斜上表面８３に頼って使用者が立ち上がるのを補助するもので、そして使用者が用を足す過程における快適さを考慮するべく、傾斜上表面８３と水平面の間の角度は１５°から２３°の間に介在するものであるため、行動が不便な方に対して言えば、傾斜上表面８３によって提供できる輔助は限られるという問題点があった。
【０００８】
また、従来の便座９はモータ９１を利用して便座リング９４を駆動する動力の源とするもので、しかしながら、便器９０は通常としてトイレ、浴室などの湿度が比較的高い場所に取り付けられるため、モータ９１の使用寿命は湿気の影響により極めて減り易くなる。さらに、便座リング９４は人体の重量を受けなければならないため、モータ９１は低い回転速度かつ高いトルクを有するモータを採用するもので、しかし伝動構造として採用される伝動歯車モジュール９２と支持アーム９３はそれぞれ従来の歯車とラック歯車の構造であるため、座部９４が受けられる人体の重量とモータ９１の出力トルクの影響で、伝動歯車モジュール９２と支持アーム９３は使用の過程において極めて摩損し易くなり、さらには支持アーム９３は伝動歯車モジュール９２から滑って脱落してしまうため、従来の便座９の使用寿命に対して負の影響を及ぼしてしまうという問題点があった。
【０００９】
また、モータ９１が損壊してしまったりまたは伝動歯車モジュール９２と支持アーム９３に摩損が生じたりすると、構造が複雑で部材の取得が難しいなどの要素によって使用者自らその修理やメンテナンスは全て難しくなり、プロや業者に頼って修理して貰ったりまたは直接従来の便座９を取り替えたりするしか方法がないため、従来の便座９の修理のコストが高く、メンテナンスの利便性も極めて悪い。他に、便座９４が降りて平らになった時、支持アーム９３は便器９０の本体外部まで伸出ことにより、従来の便座９の全体の体積は極めて厖大になるため、空間の配置が難しくなり易く、取り付けにも極めて不便になるなどの問題点が生じ、使用の利便性が悪いという問題点があった。
【００１０】
総合すると、前述した従来の便座９はモータ９１を利用して便座リング９４を駆動する動力の源とし、さらに伝動歯車モジュール９２と支持アーム９３を伝動構造とするため、従来の便座９においては「使用寿命が短い」と「使用の利便性が悪い」などの問題点が存在するため、その関係の製品は以前から消費者に好意を持ってもらうことができず、従って上述した従来の便座をさらに改良し、使用者が簡単に立ち上がるのを補助することができる便座を提供することにより、便座の市場価値と市場占有率を高めなければならない。
【００１１】
本考案の第一の目的は、昇降装置によってそれぞれ一個の第一座部と一個の第二座部と連接し、第二座部は第一座部に枢接され、昇降装置は第一端と第二端の距離が延伸したりまたは短縮したりするのを駆動することにより、第二座部を持ち上げて使用者が便座から立ち上がるのを補助することができるため、便座の使用寿命を高めることができる便座を提供することにある。
【００１２】
本考案の第二の目的は、従来の便座のモータなどの動力部材と伝動歯車モジュールまたは支持アームなどの伝導構造の代わりに、伸縮シリンダーまたはねじ棒伝動ユニットを利用して第二座部を駆動する動力の源とすることにより、便座の全体の体積を縮小するとともに、使用の利便性を増やすことができる便座を提供することにある。
【課題を解決するための手段】
【００１３】
上記目的を達成するために、本考案による便器の便座は、固定座、第一座部、第二座部および昇降装置を含む。固定座には一個の第一結合部と一個の第一枢接部が含まれ、第一結合部は一個の便器本体と結合するのに用いられる。第一座部の両端にはそれぞれ一個の第二枢接部と一個の第三枢接部が設けられ、第二枢接部と固定座の第一枢接部は互いに枢接する。第二座部には一個の第四枢接部が設けられ、第四枢接部と第一座部の第三枢接部は互いに枢接する。昇降装置はそれぞれ第一座部および第二座部と連接し、昇降装置には一個の制御器が結合され、制御器は第一座部と第二座部の距離が延伸したりまたは短縮したりするのを駆動するのに用いられる。
【００１４】
また、上記目的を達成するために、本考案による便器の便座は、便器本体には一個の第二結合部が設けられ、第二結合部と固定座の第一結合部は互いに対応する結合構造からなり、第一結合部と第二結合部は互いに位置合わせて結合することもできる。また、第一結合部は複数個の貫穿孔からなり、第二結合部は複数個の固定孔からなり、第二結合部に形成される複数個の固定孔はそれぞれ第一結合部に形成される複数個の貫穿孔と互いに位置合わせ、かつそれぞれの上記貫穿孔に固定部材を貫穿してそれぞれの固定孔に固定することもできる。また、昇降装置は一個の伸縮シリンダーからなり、昇降装置には一個の第一端と一個の第二端が含まれ、第一端および第二端はそれぞれ第一座部および第二座部と連接し、制御器は昇降装置が伸縮するのを駆動するように制御することもできる。また、昇降装置の第一端は第一座部が第二枢接部に近接する一端に連接され、昇降装置の第二端は第二座部が第四枢接部から遠く離れる一端に連接されることにより、昇降装置は第三枢接部と第四枢接部から遠く離れることもできる。また、第一座部には一個の延伸部が設けられ、延伸部は第二座部から遠く離れる一方の方向に向かって延伸し、昇降装置の第一端は延伸部に結合されることもできる。また、第二座部には一個の導引部が設けられ、導引部は第二座部が第四枢接部から遠く離れる一端に設置され、昇降装置の第二端は導引部に結合されることもできる。また、導引部には第二座部の周縁に沿って一個の案内溝が開設され、第二端は滑動自在に導引部の中に結合されることもできる。
【００１５】
また、上記目的を達成するために、本考案による便器の便座は、昇降装置は一個のねじ棒伝動ユニットからなり、一個のねじ棒と一個の連接棒が含まれ、ねじ棒は第一座部に固定され、ねじ棒には一個のねじ部が含まれ、連接棒の一端はねじ部に螺接され、連接棒のもう一端は一個の第二座部と連接し、制御器はねじ棒に結合されてねじ棒が枢転するのを駆動するのに用いられることもできる。また、連接棒には一個のねじ管、一個の第一端と一個の第二端が含まれ、ねじ管はねじ棒のねじ部に螺接され、第一端はねじ管に枢接され、第二端は第二座部と連接することもできる。また、昇降装置のねじ棒は第一座部が第二枢接部に近接する一端に固定され、連接棒の第二端は第二座部が第四枢接部から遠く離れる一端に連接されることにより、昇降装置は第三枢接部および第四枢接部から遠く離れることもできる。また、昇降装置には他に一個の導引棒が含まれ、導引棒には一個の基座、一個の第三端と一個の第四端が含まれ、基座は回動自在にねじ棒に固定され、第三端は基座に枢接され、第四端は第二座部と連接し、連接棒の第一端および第二端の間の部分は導引棒の第三端および第四端の間の部分とは互いに枢接することもできる。また、第二座部には二個の導引部が設けられ、導引部はそれぞれ連接棒の第二端と導引棒の第四端が結合するのに用いられ、二個の導引部は第二座部が第四枢接部から遠く離れる端縁に設置されることもできる。
【考案の効果】
【００１６】
本考案の便器の便座によれば、昇降装置によってそれぞれ一個の第一座部と一個の第二座部と連接し、第二座部は第一座部に枢接され、昇降装置は第一端と第二端の距離が延伸したりまたは短縮したりするのを駆動することにより、第二座部を持ち上げて使用者が便座から立ち上がるのを補助することができるため、便座の使用寿命を高めることができるという利点がある。
【００１７】
本考案の便器の便座によれば、従来の便座のモータなどの動力部材と伝動歯車モジュールまたは支持アームなどの伝導構造の代わりに、伸縮シリンダーまたはねじ棒伝動ユニットを利用して第二座部を駆動する動力の源とすることにより、便座の全体の体積を縮小するとともに、使用の利便性を増やすことができるという利点がある。
【図面の簡単な説明】
【００１８】
【図１】図１は、本考案の実施例１の外観の説明図である。
【図２】図２は、本考案の実施例１の斜視分解図である。
【図３】図３は、本考案の実施例１において第二座部が下ろされる断面の説明図である。
【図４】図４は、本考案の実施例１において第二座部が持ち上げられる断面の説明図である。
【図５】図５は、本考案の実施例２の斜視分解図である。
【図６】図６は、本考案の実施例２において第二座部が下ろされる断面の説明図である。
【図７】図７は、本考案の実施例２の昇降装置が駆動して第二座部を持ち上げる作動の説明図である。
【図８】図８は、本考案の実施例２において第二座部が持ち上げられる断面の説明図である。
【図９】図９は、本考案の実施例２の昇降装置が第二座部を下ろした状態の説明図である。
【図１０】図１０は、従来の便座の外観の説明図である。
【図１１】図１１は、従来のもう一種の便座の構造の説明図である。
【考案を実施するための形態】
【実施例１】
【００１９】
本考案の実施の形態について、以下、図面を参照して説明する。
【００２０】
本考案において叙述する「第一方向」は時計回りの回転方向または時計逆回りの回転方向とすることができ、また、本考案において叙述する「第二方向」は「第一方向」と反対の方向とすることができる。すなわち「第一方向」は時計回りの回転方向である場合、「第二方向」は反対の時計逆回りの回転方向になる。さらに、「第一方向」は時計逆回りの回転方向である場合、「第二方向」は反対の時計回りの回転方向になる。
【００２１】
図１は本考案の実施例１の外観の説明図で、図２は本考案の実施例１の斜視分解図である。図１、２を参照すると、本考案の実施例１の便座１には一個の固定座１１、一個の第一座部１２、一個の第二座部１３と一個の昇降装置１４が含まれる。第一座部１２はそれぞれ固定座１１および第二座部１３と結合し、そして昇降装置１４はそれぞれ第一座部１２および第二座部１３と連接する。便座１は一個の便器本体Ｂの上に設置することができ、便器本体Ｂは好ましくは従来の洋式便器からなる。
【００２２】
固定座１１には一個の第一結合部１１１が含まれ、そして便器本体Ｂには一個の第二結合部Ｂ１が設けられ、第二結合部Ｂ１と固定座１１の第一結合部１１１は互いに対応する従来の結合構造からなり、第二結合部Ｂ１は第一結合部１１１と互いに位置合わせて結合するのに用いられることにより、固定座１１と便器本体Ｂは装脱自在に結合するように形成される。
【００２３】
本実施例において、固定座１１の第一結合部１１１は複数個の貫穿孔からなり、便器本体Ｂの第二結合部Ｂ１は複数個の固定孔からなり、第二結合部Ｂ１に形成される複数個の固定孔はそれぞれ第一結合部１１１に形成される複数個の貫穿孔と互いに位置合わせ、例えばねじなどの固定部材Ｓを利用してそれぞれの貫穿孔を貫穿してそれぞれの固定孔に固定することにより、固定座１１と便器本体Ｂは確実に結合して固定することができる。しかし、第一結合部１１１と第二結合部２１は上述した固定構造の他に、例えばほぞ構造、係止構造または螺接構造などのその他の互いに対応する従来の結合構造からなることができ、本案ではその限りではない。その他に、固定座１１には他に一個の第一枢接部１１２が含まれる。
【００２４】
第一座部１２の両端にはそれぞれ一個の第二枢接部１２１と一個の第三枢接部１２２が設けられ、その中に、第二枢接部１２１と固定座１１の第一枢接部１１２は互いに枢接することにより、第一座部１２は枢転自在に固定座１１に結合するように形成される。
【００２５】
第二座部１３には一個の第四枢接部１３１が設けられ、第四枢接部１３１は第一座部１２の第三枢接部１２２と互いに枢接することにより、第二座部１３は枢転自在に第一座部１２に結合するように形成される。
【００２６】
本実施例において、昇降装置１４は一個の伸縮シリンダーからなることができ、上記伸縮シリンダーは液圧伸縮シリンダーまたは気圧伸縮シリンダーからなり、そして好ましくは油圧伸縮シリンダーを採用して昇降装置１４は充分な載荷能力を有するように確保することができる。昇降装置１４には一個の第一端１４１と一個の第二端１４２含まれ、そして昇降装置１４は一個の制御器１４３と結合し、制御器１４３によって昇降装置１４が流体圧力を利用して伸縮するのを駆動して制御することにより、第一端１４１と第二端１４２の距離はそれに従って延伸したりまたは短縮したりすることができる。第一端１４１と第二端１４２はそれぞれ第一座部１２および第二座部１３と連接することにより、第一端１４１と第二端１４２の距離が制御器１４３の駆動によって延伸したりまたは短縮したりする時、第一座部１２と第二座部１３の距離もそれに従って延伸したりまたは短縮したりすることができる。
【００２７】
詳しく言えば、第二座部１３の第四枢接部１３１は第一座部１２の第三枢接部１２２と互いに枢接することにより、第二座部１３は第三枢接部１２２と第四枢接部１３１を支点として第一座部１２に相対して枢転することができる。そのため、昇降装置１４の第一端１４１は好ましくは第一座部１２が第二枢接部１２１に近接する一端（すなわち第一座部１２が第三枢接部１２２から遠く離れる一端）に連接され、昇降装置１４の第二端１４２は好ましくは第二座部１３が第四枢接部１３１から遠く離れる一端に連接されることにより、昇降装置１４は第三枢設部１２２と第四枢接部１３１から遠く離れる。
【００２８】
これにより、第一端１４１と第二端１４２の距離が制御器１４３の駆動によって延伸する時、昇降装置１４は一個の作用点として第二座部１３を駆動し、第三枢接部１２２と第四枢接部１３１を支点として第一座部１２に相対して枢転することにより、第二座部１３を持ち上げることができる。
【００２９】
昇降装置１４の第一端１４１と第二端１４２の距離が制御器１４３の駆動によって短縮する時、第二座部１３は好ましくは第一座部１２と貼接するよに形成される。しかし、第一端１４１と第二端１４２はそれぞれ第一座部１２および第二座部１３と連接するため、仮に第二座部１３と第一座部１２が貼接するように形成されると、昇降装置１４の長さは比較的短くなるため、その伸縮の行程も限られる。故に、第一座部１２には好ましくは一個の延伸部１２３が設けられ、延伸部１２３は第二枢接部１２１に近接するように設置することができ、さらに第二座部１３から遠く離れる一方の方向に向かって延伸し、延伸部１２３は昇降装置１４の第一端１４１が結合するのに用いられることにより、第二座部１３と第一座部１２は貼接するように形成される状態で、依然として昇降装置１４が充分な長さを有するように確保することができため、その伸縮の行程に限制が掛かるのを避けることができる。
【００３０】
また、第二座部１３には一個の導引部１３２が設けられ、導引部１３２は好ましくは第二座部１３が第四枢接部１３１から遠く離れる一端に設置され、そして導引部１３２は案内溝、レールまたは枢接軸などの従来の導引構造からなることができ、導引部１３２は昇降装置１４の第二端１４２が結合するのに用いられる。本実施例において、導引部１３２は第二座部１３周縁に沿って開設された一個の案内溝からなり、第二端１４２は滑動自在に導引部１３２の中に結合される。
【００３１】
これにより、第一端１４１と第二端１４２の距離が制御器１４３の駆動によって延伸して第二座部１３を持ち上げる時、第二端１４２は導引部１３２の中に滑動することにより、昇降装置１４が第二座部１３に与えた応力を軽減させることができるため、第二座部１３と昇降装置１４の結合部位は過大な圧力を受けることによって第二座部１３が破裂してしまうのを避けることができる。
【００３２】
図３は本考案の実施例１において第二座部が下ろされる断面の説明図である。図３を合わせて参照すると、本実施例の便座１を実際に使用する時、便座１を固定座１１によって一個の便器本体Ｂの上に取り付けることができ、そして第一座部１２は第二座部１３と便器本体Ｂの間に形成される。固定座１１は第一結合部１１１を利用して便器本体Ｂの第二結合部Ｂ１と互いに位置合わせて結合することにより、固定座１１と便器本体Ｂは装脱自在に結合するように形成されるため、使用者が便座１を購入した後に便座１を各種の従来の洋式便器に取り付けることができるが、本考案ではこの限りではない。
【００３３】
その中に、第一座部１２は枢転自在に固定座１１に結合するように、第二座部１３は第一座部１２に結合するように形成されることにより、第一座部１２と第二座部１３は第一枢接部１１２と第二枢接部１２１を利用して支点とすることができるため、合わせて固定座１１に相対して枢転すると同時に、一個の予定される位置まで持ち上げることができるため、男性が用を足したりまたは便器本体Ｂを洗ったりするのに役立てることができる。また、使用者が便座１に座る時、第一座部１２は便器本体Ｂと互いに当接し、そして第二座部１３は好ましくは第一座部１２と貼接するように形成されることにより、人体の重量を確実に支えることができる。
【００３４】
図４は本考案の実施例１において第二座部が持ち上げられる断面の説明図である。図４を参照すると、使用者が用を足してから立ち上がろうとする時、昇降装置１４の制御器１４３によって昇降装置１４が伸長するのを制御することにより、第一端１４１と第二端１４２の距離はそれに従って延伸する。これにより、昇降装置１４は一個の作用点として第二座部１３が第三枢接部１２２と第四枢接部１３１を支点として第一座部１２に相対して枢転するのを駆動することができ、さらに第二座部１３を持ち上げることができる。これにより、第一座部１２と第二座部１３の距離は拡大するため、第二座部１３は水平面に相対して傾斜になり、使用者が便座１から立ち上がるのを補助することができる。
【００３５】
それに反して、仮に使用者が便座１に座ろうとする時、同様に昇降装置１４の制御器１４３によって昇降装置１４が伸長して第二座部１３を持ち上げるのを駆動することにより、第二座部１３は水平面に相対して傾斜に形成されるため、使用者が便座１に座るのを補助することができ、それから再び制御器１４３によって昇降装置１４が短縮するのを駆動することにより、第二座部１３は第一座部１２と貼接するように回復されるため、使用者が用を足すのに役立てることができる。
【００３６】
上述した構造によれば、本考案の実施例１の便座１は伸縮シリンダーを利用して一個の昇降装置１４とし、昇降装置１４の第一端１４１と第二端１４２はそれぞれ一個の第一座部１２および一個の第二座部１３と連接し、第二座部１３は第一座部１２に枢接され、そして昇降装置１４は一個の制御器１４３と結合し、制御器１４３によって昇降装置１４が流体圧力を利用して伸縮するのを駆動して制御することにより、第一端１４１と第二端１４２の距離はそれに従って延伸したりまたは短縮したりする。さらに第二座部１３を持ち上げたりまたは下ろしたりすることができるため、使用者が便座１から立ち上がったり、または便座１に座ったりするのを補助することができる。
【００３７】
ここで知ることができるように、前述した従来の便座９と比べると、便座９はモータ９１を採用して便座リング９４を駆動する動力の源とし、さらに伝動歯車モジュール９２と支持アーム９３を利用して伝動構造としていたが、本考案の実施例１の便座１では昇降装置１４を採用して第二座部１３を駆動する動力の源とし、そして昇降装置１４は液圧伸縮シリンダーまたは気圧伸縮シリンダーなどの構造からなるため、モータ９１と比べると湿気を有効に断絶することができるため、便座１がトイレまたは浴室などの湿度が高い場所に取り付けられることによって昇降装置１４の使用寿命が短くなるという問題点はなくなる。
【００３８】
また、昇降装置１４は第一端１４１と第二端１４２によってそれぞれ第一座部１２および第二座部１３と連接するため、伝動歯車モジュール９２と支持アーム９３などの伝動構造の連動を利用しなくても、直接昇降装置１４を利用して第二座部１３を駆動することができる。これにより、従来の便座９では伝動歯車モジュール９２と支持アーム９３によって使用過程において摩損したりまたは滑って脱落したりするという影響を受け易く、使用寿命が短くなるという問題点と比べると、本考案の実施例１の便座１では確実にその使用寿命を高めることができる。
【００３９】
その他に、伸縮シリンダーを利用して昇降装置１４とすれば、故障率が低くメンテナンスがし易いという利点を有し、さらに昇降装置１４が短縮されると、体積が小さくなるという利点を有する。前述した従来の便座９と比べると、便座９の便座リング９４が降下して平らに形成されると、支持アーム９３は便器９０の本体外部まで伸出するため、従来の便座９の全体の体積が厖大になる。本考案の実施例１の便座１では昇降装置１４を利用して第二座部１３を駆動する動力の源とすることにより、便座１の全体の体積を有効に縮小することができるため、取り付けが簡単でその利便性を確実に増やすことができる。
【実施例２】
【００４０】
図５は本考案の実施例２の斜視分解図で、図６は本考案の実施例２において第二座部が下ろされる断面の説明図である。図５、６を参照すると、実施例２の便座２にも同様に一個の固定座２１、一個の第一座部２２、一個の第二座部２３と一個の昇降装置２４含まれる。昇降装置２４もそれぞれ第一座部２２および第二座部２３と連接し、そして前述した実施例１との差異は、昇降装置２４は一個のねじ棒伝動ユニットからなり、昇降装置２４には一個のねじ棒２４１、一個の連接棒２４２と一個の制御器２４３が含まれる。
【００４１】
ねじ棒２４１は第一座部２２に固定され、そしてねじ棒２４１には一個のねじ部２４１ａが含まれる。連接棒２４２には一個のねじ管２４２ａ、一個の第一端２４２ｂと一個の第二端２４２ｃが含まれ、ねじ管２４２ａはねじ部２４１ａに螺接され、第一端２４２ｂはねじ管２４２ａに枢接され、第二端２４２ｃは第二座部２３と連接する。
【００４２】
制御器２４３はモータからなることができ、そして好ましくは従来のステッピングモータからなり、制御器２４３はねじ棒２４１と結合してねじ棒２４１が枢転するのを駆動するのに用いられることにより、連接棒２４２のねじ管２４２ａはねじ棒２４１に沿って移動する。これにより、ねじ管２４２ａが移動する時、連接棒２４２の第一端２４２ｂには合わせて移動が生じられることにより、連接棒２４２の第二端２４２ｃは第二座部１３を同期に連動するため、第一座部１２と第二座部１３の距離はそれに従って延伸したりまたは短縮したりする。
【００４３】
詳しく言えば、昇降装置２４のねじ棒２４１は第一座部２２が第二枢接部２２１に近接する一端に固定され、連接棒２４２の第二端２４２ｃは第二座部２３が第四枢接部２３１から遠く離れる一端に連接されることにより、昇降装置２４は第三枢接部２２２と第四枢接部２３１から遠く離れる。
【００４４】
また、昇降装置２４には他に一個の導引棒２４４が含まれ、導引棒２４４には一個の基座２４４ａ、一個の第三端２４４ｂと一個の第四端２４４ｃが含まれ、基座２４４ａはねじ棒２４１にねじ部２４１ａが設置されていない部分に回動自在に固定され、第三端２４４ｂは基座２４４ａに枢接され、第四端２４４ｃは第二座部２３と連接し、そして連接棒２４２の第一端２４２ｂおよび第二端２４２ｃの間の部分は導引棒２４４の第三端２４４ｂおよび第四端２４４ｃの間の部分とは互いに枢接する。
【００４５】
他に、第二座部２３には二個の導引部２３２が設けられ、二個の導引部２３２は第二座部２３が第四枢接部２２から遠く離れる端縁に設置され、二個の導引部２３２は案内溝、レールまたは枢接軸などの従来の導引構造からなることができ、さらにそれぞれ連接棒２４２の第二端２４２ｃと導引棒２４４の第四端２４４ｃが結合するのに用いられる。これにより、連接棒２４２の第一端２４２ｂがねじ棒２４１に沿って移動する時、連接棒２４２と導引棒２４４の間の枢接関係により、連接棒２４２は導引棒２４４に相対して枢転が生じられ、さらに連接棒２４２の第二端２４２ｃによって第二座部１３を持ち上げたりまたは下ろしたりすることができる。
【００４６】
図７は本考案の実施例２の昇降装置が駆動して第二座部を持ち上げる作動の説明図で、図８は本考案の実施例２において第二座部が持ち上げられる断面の説明図である。図７、８を参照すると、本実施例において、制御器２４３がねじ棒２４１を駆動して一方の第一方向に向かって枢転することにより、連接棒２４２のねじ管２４２ａがねじ棒２４１に沿って導引棒２４４の基座２４４ａに接近する時、連接棒２４２の第一端２４２ｂは合わせてねじ棒２４１に沿って導引棒２４４の第三端２４４ｂに接近するため、連接棒２４２は導引棒２４４に相対して枢転することにより、連接棒２４２の第二端２４２ｃと導引棒２４４の第四端２４４ｃによって第二座部２３を持ち上げることができ、第一座部１２と第二座部１３の距離はそれに従って拡大する。
【００４７】
それに反して、図９に示される本考案の実施例２の昇降装置が第二座部を下ろした状態の説明図を参照すると、制御器２４３がねじ棒２４１を駆動して一方の第二方向に向かって枢転することにより、連接棒２４２のねじ管２４２ａはねじ棒２４１に沿って導引棒２４４の基座２４４ａから遠く離れる時、連接棒２４２の第一端２４２ｂは合わせてねじ棒２４１に沿って導引棒２４４の第三端２４４ｂから遠く離れるため、連接棒２４２は導引棒２４４に相対して枢転することにより、連接棒２４２の第二端２４２ｃと導引棒２４４の第四端２４４ｃによって第二座部２３を下ろすことができ、第二座部１３は第一座部１２と貼接するように回復される。
【００４８】
上述した構造によれば、本考案の実施例２の便座２は一個のねじ棒伝動ユニットを利用して一個の昇降装置２４とし、昇降装置２４には一個のねじ棒２４１と一個の連接棒２４２が含まれ、ねじ棒２４１は一個の第一座部２２に固定され、そしてねじ棒２４１には一個のねじ部２４１ａが含まれ、連接棒２４２の一端はねじ部２４１ａに螺接され、連接棒２４２のもう一端は一個の第二座部２３と連接する。
【００４９】
そして、ねじ棒２４１は一個の制御器２４３と結合し、制御器２４３によってねじ棒２４１が枢転するのを駆動することにより、連接棒２４２のねじ管２４２ａはねじ棒２４１の沿って移動し、連接棒２４２の第二端２４２ｃを利用して第二座部２３を連動するため、第一座部２２と第二座部２３の距離はそれに従って延伸したりまたは短縮したりする。さらに第二座部２３を持ち上げたりまたは下ろしたりすることができるため、使用者が便座２から立ち上がったり、または便座２に座ったりするのを補助することができる。
【００５０】
ここで知ることができるように、前述した従来の便座９と比べると、便座９はモータ９１を採用して便座リング９４を駆動する動力の源とし、さらに伝動歯車モジュール９２と支持アーム９３を利用して伝動構造としていたが、本考案の実施例２の便座２では昇降装置２４を採用して第二座部２３を駆動する動力の源とし、そして昇降装置２４はねじ棒伝動ユニットからなり、さらにねじ棒２４１と連接棒２４２によってそれぞれ第一座部２２および第二座部２３と連接するため、伝動歯車モジュール９２と支持アーム９３などの伝動構造の連動を利用しなくても、制御器２４３を利用してねじ棒２４１が回転するのを駆動することにより、直接連接棒２４２を利用して第二座部１３を連動することができる。
【００５１】
これにより、従来の便座９では伝動歯車モジュール９２と支持アーム９３によって使用過程において摩損したりまたは滑って脱落したりするという影響を受け易く、使用寿命が短くなるという問題点と比べると、本考案の実施例２の便座２では確実にその使用寿命を高めることができる。また、本考案の実施例２のねじ棒伝動構造では受けた応力が比較的平均になるため、摩損が生じ難く、かつ滑って脱落するという問題点は生じなくなるため、本考案の実施例２の便座２では確実にその使用寿命を高めることができる。
【００５２】
その他に、ねじ棒伝動ユニットを利用して昇降装置２４とすれば、故障率が低くメンテナンスがし易いという利点を有し、さらに昇降装置２４の連接棒２４２を第一座部２２と第二座部２３の間に収容することができるという利点を有する。前述した従来の便座９と比べると、便座９の便座リング９４が降下して平らに形成されると、支持アーム９３は便器９０の本体外部まで伸出するため、従来の便座９の全体の体積が厖大になる。本考案の実施例２の便座２では昇降装置２４を利用して第二座部２３を駆動する動力の源とすることにより、便座２の全体の体積を有効に縮小することができるため、取り付けが簡単でその利便性を確実に増やすことができる。
【００５３】
総合すると、本考案の実施例１の便座１と実施例２の便座２によれば、確実に便座の使用寿命を高めることができるとともに、その使用の利便性を増やすことができる。
【００５４】
本考案は、その精神および必須の特徴事項から逸脱することなく他のやり方で実施することができる。従って、本明細書に記載した好ましい実施形態は例示的なものであり、限定を意図するものではない。
【符号の説明】
【００５５】
１    便座
１１    固定座
１１１    第一結合部
１１２    第一枢接部
１２    第一座部
１２１    第二枢接部
１２２    第三枢接部
１２３    延伸部
１３    第二座部
１３１    第四枢接部
１３２    導引部
１４    伸縮シリンダー
１４１    第一端
１４２    第二端
１４３    制御器
２    便座
２１    固定座
２１１    第一結合部
２１２    第一枢接部
２２    第一座部
２２１    第二枢接部
２２２    第三枢接部
２３    第二座部
２３１    第四枢接部
２３２    導引部
２４    伸縮シリンダー
２４１    ねじ棒
２４１ａ    ねじ部
２４２    連接棒
２４２ａ    ねじ管
２４２ｂ    第一端
２４２ｃ    第二端
２４３    制御器
２４４    導引棒
２４４ａ    基座
２４４ｂ    第三端
２４４ｃ    第四端
８    便座
８０    便器
８１    枢接端
８２    活動端
８３    傾斜上表面
９    便座
９０    便器
９１    モータ
９２    伝動歯車モジュール
９３    支持アーム
９４    便座リング
Ｂ    便器本体
Ｂ１    第二結合部
Ｓ    固定部材
【図１】
0003190929.tif 000003
【図２】
0003190929.tif 000004
【図３】
0003190929.tif 000005
【図４】
0003190929.tif 000006
【図５】
0003190929.tif 000007
【図６】
0003190929.tif 000008
【図７】
0003190929.tif 000009
【図８】
0003190929.tif 000010
【図９】
0003190929.tif 000011
【図１０】
0003190929.tif 000012
【図１１】
0003190929.tif 000013